(57)【特許請求の範囲】
【請求項１】
患者を含む使用者が酸素吸入を行う移動可能な車輪を有する酸素濃縮装置を固定するスタンドであって、
設置面に置かれて、前記酸素濃縮装置の装置本体を載せるための台座と、
前記台座に載せた前記装置本体を固定する固定部と、を備え、
前記台座は、
前記装置本体を前記設置面に沿って移動する際に、前記装置本体の移動方向を規制しながら前記装置本体の移動方向を案内する案内部と、
前記案内部に連続して形成されており、前記案内部よりも前記設置面から高い位置に形成されていることで、前記案内部により案内されてきた前記装置本体の底部を載せて前記装置本体の車輪を浮かして保持する保持部と、を有し、
前記固定部は、
前記保持部上に前記装置本体の前記底部を載せると、前記装置本体の前記底部に設けられている支持突起部に対して着脱可能に掛けて、前記台座の前記保持部上での前記装置本体の位置を着脱可能に固定する係合部材と、
前記患者を含む使用者が踏むための踏み部材と、
前記踏み部材が踏まれると、前記装置本体の前記支持突起部から前記係合部材を離脱させる係合部操作部と、
を有することを特徴とするスタンド。
【請求項２】
前記踏み部材は、前記台座の前記保持部から離れている前記案内部の先端部に配置され、
前記係合部操作部は、前記台座の裏面側の空間に収容されていることを特徴とする請求項１に記載のスタンド。
【請求項３】
前記係合部材は、前記保持部に設けられた位置決め用の凹部内に突出可能に設けられ、
前記装置本体の前記支持突起部を前記位置決め用の凹部にはめ込んで、前記係合部材を前記支持突起部の穴部に入れ込むことで前記装置本体を固定した状態で、前記係合部操作部は、前記患者を含む使用者が前記踏み部材を踏むと、前記係合部材を前記装置本体の前記支持突起部の前記穴部から退出させて前記保持部上における前記装置本体の固定を解除する構成としたことを特徴とする請求項１または２に記載のスタンド。
【請求項４】
前記台座は、前記装置本体に商用電源を供給する電源アダプタを収納する電源アダプタ収納部を有し、
前記電源アダプタ収納部は、前記装置本体を前記台座の前記保持部上に載せた状態で前記装置本体に当接することで、前記装置本体の前記保持部上における位置決めを行う装置本体位置決め部を有することを特徴とする請求項１から３のいずれか一項に記載のスタンド。
【請求項５】
前記台座は、前記台座に載せた前記装置本体の接続端子に対して接続する前記電源アダプタのコードを、前記装置本体に沿って保持させるスタンドアームを有し、前記スタンドアームの下端部は、前記台座に対して着脱可能に取り付けられることを特徴とする請求項４に記載のスタンド。
【請求項６】
前記案内部には、前記装置本体が前記保持部上に固定された状態で、前記装置本体に設けられたハンドルの下端部を着脱可能にはめ込んで位置決めする位置決め用の凹部を有することを特徴とする請求項１から５のいずれか一項に記載のスタンド。
【請求項７】
請求項１から６のいずれか一項に記載のスタンドを備え、患者を含む使用者が酸素吸入を行うための移動可能な酸素濃縮装置であって、
筐体を有する装置本体と、
前記装置本体に取り付けられた車輪と、
を備えることを特徴とする酸素濃縮装置。
【発明の詳細な説明】
【技術分野】
【０００１】
本発明は、空気中から酸素を分離生成する移動型の酸素濃縮装置を固定するためのスタンドおよびスタンドを備えるに関する。
【背景技術】
【０００２】
酸素濃縮装置は、肺に疾病を抱える患者を含む使用者が高濃度の酸素を吸引するために使用する。この酸素濃縮装置では、コンプレッサが空気を取り込んで圧縮空気を作り、この圧縮空気は吸着筒の内部に送り込み、吸着筒内の吸着剤に空気の窒素を吸着させる。これにより、酸素濃縮装置は、濃縮酸素を生成する。この生成した濃縮酸素は、カニューラを用いて患者を含む使用者に摂取させる。
【０００３】
患者を含む使用者が移動可能な移動型の酸素濃縮装置は、特許文献１に開示されている。この移動型の酸素濃縮装置は、装置本体と、この装置本体に取り付けられた２つの車輪と、装置本体に取り付けられた１つの小さなキャスタと、装置本体に取り付けられて上下に移動可能なハンドルを有している。患者を含む使用者は、このハンドルを持って装置本体を移動することができる。
【先行技術文献】
【特許文献】
【０００４】
【特許文献１】特開平１１−２６２５２６号公報
【発明の概要】
【発明が解決しようとする課題】
【０００５】
ところが、従来の移動型の酸素濃縮装置の装置本体は、２つの車輪と１つの小さなキャスタを有しており、いつでも容易に移動できるようにするために設置面に対して抵抗が少ない。このため、装置本体は、車輪のロック機構を備えていない。
【０００６】
しかし、患者を含む使用者が、装置本体に接続した酸素供給用のチューブから酸素供給を受けている場合に、患者が動いてこのチューブを引っ張る等の外力が装置本体に加わると、装置本体の位置は設置面に沿って簡単に移動してしまうおそれがある。
そこで、本発明は、装置本体が設置面に沿って簡単に移動しないように固定することができるスタンドおよびスタンドを備える酸素濃縮装置を提供することを目的とする。
【課題を解決するための手段】
【０００７】
本発明のスタンドは、患者を含む使用者が酸素吸入を行う移動可能な車輪を有する酸素濃縮装置を固定するスタンドであって、設置面に置かれて、前記酸素濃縮装置の装置本体を載せるための台座と、前記台座に載せた前記装置本体を固定する固定部と、を備えることを特徴とする。
上記構成によれば、台座は、酸素濃縮装置の装置本体を載せて、固定部が台座に載せた装置本体を固定するので、車輪を有する装置本体が、設置面に沿って簡単に移動しないように固定することができる。
【０００８】
好ましくは、前記台座は、前記装置本体を前記設置面に沿って移動する際に、前記装置本体の移動方向を規制しながら前記装置本体の移動方向を案内する案内部と、前記案内部に連続して形成されており、前記案内部よりも前記設置面から高い位置に形成されていることで、前記案内部により案内されてきた前記装置本体の底部を載せて前記装置本体の車輪を浮かして保持する保持部と、を有することを特徴とする。
上記構成によれば、案内部は、装置本体を設置面に沿って移動する際に、装置本体の移動方向を規制しながら装置本体の移動方向を案内して、保持部側に確実に導くことができる。そして、保持部は、案内部よりも設置面から高い位置に形成されていることで、案内部により案内されてきた装置本体の底部を載せて装置本体の車輪を浮かして保持することができる。従って、装置本体は、案内部から保持部に確実に移動して、保持部に載せた状態で安定して保持できる。
【０００９】
好ましくは、前記固定部は、前記保持部上に前記装置本体の前記底部を載せると、前記装置本体の前記底部に設けられている支持突起部に対して着脱可能に掛けて、前記台座の前記保持部上での前記装置本体の位置を着脱可能に固定する係合部材を有することを特徴とする。
上記構成によれば、装置本体の支持突起部を、台座側の係合部材を掛けることで、装置本体は、保持部上に着脱可能に確実に固定できる。
【００１０】
好ましくは、前記固定部は、前記保持部に設けられた前記係合部材と、前記患者を含む使用者が踏むための踏み部材と、前記踏み部材が踏まれると、前記装置本体の前記支持突起部から前記係合部材を離脱させる係合部操作部と、を有することを特徴とする。
上記構成によれば、患者を含む使用者が、踏み部材を踏むことで、装置本体の前記支持突起部から係合部材を離脱させることができる。このため、装置本体は、簡単に保持部から取り外すことができる。
【００１１】
好ましくは、前記踏み部材は、前記台座の前記保持部から離れている前記案内部の先端部に配置され、前記係合部操作部は、前記台座の裏面側の空間に収容されていることを特徴とする。
上記構成によれば、係合部操作部が台座の裏側の空間に収容されている。このため、係合部操作部は、外には露出しないので、台座は係合部操作部の保護ができる。
【００１２】
好ましくは、前記係合部材は、前記保持部に設けられた位置決め用の凹部内に突出可能に設けられ、前記装置本体の前記支持突起部を前記位置決め用の凹部にはめ込んで、前記係合部材を前記支持突起部の穴部に入れ込むことで前記装置本体を固定した状態で、前記係合部操作部は、前記患者を含む使用者が前記踏み部材を踏むと、前記係合部材を前記装置本体の前記支持突起部の前記穴部から退出させて前記保持部上における前記装置本体の固定を解除する構成としたことを特徴とする。
上記構成によれば、患者を含む使用者が踏み部材を踏むだけで、係合部操作部は、保持部上における前記装置本体の固定を、容易に解除することができる。
【００１３】
好ましくは、前記台座は、前記装置本体に商用電源を供給する電源アダプタを収納する電源アダプタ収納部を有し、前記電源アダプタ収納部は、前記装置本体を前記台座の前記保持部上に載せた状態で前記装置本体に当接することで、前記装置本体の前記保持部上における位置決めを行う装置本体位置決め部を有することを特徴とする。
上記構成によれば、装置本体は、装置本体位置決め部に対して当接すれば、装置本体は保持部上に確実に位置決めして固定できる。
【００１４】
好ましくは、前記台座は、前記台座に載せた前記装置本体の接続端子に対して接続する前記電源アダプタのコードを、前記装置本体に沿って保持させるスタンドアームを有し、前記スタンドアームの下端部は、前記台座に対して着脱可能に取り付けられることを特徴とする。
上記構成によれば、スタンドアームは、必要に応じて台座に着脱可能に取り付ければよく、電源アダプタのコードは、スタンドアームに沿って保持できるので、装置本体付近でのコードの取り回しが容易に行える。
【００１５】
好ましくは、前記案内部には、前記装置本体が前記保持部上に固定された状態で、前記装置本体に設けられたハンドルの下端部を着脱可能にはめ込んで位置決めする位置決め用の凹部を有することを特徴とする。
上記構成によれば、ハンドルの下端部が位置決め用の凹部にはめ込んで位置決めできるので、装置本体は、ハンドルを用いて案内部に対して確実に保持できる。
【００１６】
本発明の酸素濃縮装置は、前記スタンドを備え、患者を含む使用者が酸素吸入を行うための移動可能な酸素濃縮装置は、筐体を有する装置本体と、前記装置本体に取り付けられた車輪と、を備えることを特徴とする。
上記構成によれば、台座は、酸素濃縮装置の装置本体を載せて、固定部が台座に載せた装置本体を固定するので、車輪を有する装置本体が、設置面に沿って簡単に移動しないように固定することができる。
【発明の効果】
【００１７】
本発明によれば、装置本体が、設置面に沿って簡単に移動しないように固定することができるスタンドおよびスタンドを備える酸素濃縮装置を提供することができる。
【図面の簡単な説明】
【００１８】
【図１】本発明の酸素濃縮装置の好ましい実施形態を示す斜視図である。
【図２】図１に示す酸素濃縮装置の背面図である。
【図３】図１に示す酸素濃縮装置の正面図である。
【図４】操作部の例を示す図である。
【図５】筐体の背面カバー部側の上部を示す斜視図である。
【図６】装置本体から伸縮ハンドルを複数段階に引き出して保持できる状態を示す斜視図である。
【図７】酸素濃縮装置の装置本体が、スタンドの上に載せて固定されている状態を示す斜め前側から見た斜視図である。
【図８】酸素濃縮装置の装置本体が、スタンドの上に載せて固定されている状態を示す斜め後側から見た斜視図である。
【図９】装置本体の電気的な構成例を示すブロック図である。
【図１０】スタンドを示す斜め上から見た斜視図である。
【図１１】スタンドを示す斜め下から見た斜視図である。
【図１２】スタンドの平面図である。
【図１３】スタンドの側面図である。
【図１４】装置本体の車輪が案内部により移動方向を規制されて案内される様子を示す平面図である。
【図１５】図１５（Ａ）は、ペダルが踏まれていない時の係合部操作部の状態と、係合部材の突き出た状態を示す底面図である。図１５（Ｂ）は、ペダルが踏まれた時の係合部操作部の状態と、係合部材の引っ込んだ状態を示す底面図である。
【図１６】スタンドアームが電源アダプタ収納部に対して取り付けられる前の状態を示す斜視図である。
【図１７】スタンドアームが電源アダプタ収納部に対して取り付けられた状態を示す斜視図である。
【図１８】患者を含む使用者が、装置本体の伸縮ハンドルを伸ばした状態を示している斜視図である。
【図１９】装置本体を後ろ方向ＢＫ側に押して、装置本体をスタンドの案内部により案内している状態を示す斜視図である。
【図２０】装置本体を後ろ方向ＢＫ側に押して、装置本体をスタンドの案内部から保持部側に載せようとしている状態を示す斜視図である。
【図２１】装置本体をスタンドの保持部の上に載せて固定した状態を示す斜視図である。
【図２２】装置本体をスタンドの案内部から保持部の上に載せて固定する様子を順番に示す図である。
【図２３】スタンドから装置本体を取り外す際に、伸縮ハンドルを伸ばした状態を示す斜視図である。
【図２４】患者を含む使用者が、足でペダルを踏んで、スタンドから装置本体を取り外そうとしている状態を示す斜視図である。
【図２５】スタンドから装置本体を取り外して、進行方向ＦＦに装置本体を移動し始める状態を示す斜視図である。
【図２６】スタンドを設置する例を示す平面図である。
【発明を実施するための形態】
【００１９】
以下に、本発明の好ましい実施形態を、図面を参照して詳しく説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２０】
＜酸素濃縮装置１の全体構成＞
図１は、本発明の酸素濃縮装置の好ましい実施形態を示す斜視図である。図２は、図１に示す酸素濃縮装置１の背面図であり、図３は、酸素濃縮装置１の正面図である。図１に示す酸素濃縮装置１では、片方の車輪が取り外された状態を示している。
図１から図３に示す酸素濃縮装置１は、患者を含む使用者や医療従事者等が移動できる移動型の装置である。この酸素濃縮装置１は、慢性閉塞性肺疾患等の低酸素血症等を有する患者を含む使用者が酸素吸入療法を行う際に、酸素供給源として使用する例えば圧力スイング吸着方式により高濃度酸素を発生する装置である。
【００２１】
図１に示すように、酸素濃縮装置１は、患者を含む使用者等による移動を意図した移動型の酸素濃縮装置（可搬型の酸素濃縮装置ともいう）である。患者を含む使用者による酸素濃縮装置１の移動を考慮して、酸素濃縮装置１の小型化と軽量化と、車輪４，４の大型化を図っている。一例として、酸素濃縮装置１の重量は、好ましくは１０ｋｇを下回る例えば９．９ｋｇであり、外形寸法例としては、高さ×幅×奥行が、５９０ｍｍ×３３０ｍｍ×２９３ｍｍである。この酸素濃縮装置１は、比較的軽量であり、コンパクトなサイズを有しており、しかも車輪４，４の大型化を図っているので、患者を含む使用者は、酸素濃縮装置１の移動を容易に行える。
【００２２】
図１から図３に示す酸素濃縮装置１は、概略的には、装置本体２と、伸縮ハンドル３と、左右の大型の車輪４，４を有している。装置本体２は、好ましくはプラスチック製の筐体５を有している。筐体５は、前面カバー部６と、背面カバー部７と、下部本体部８と、ハンドルカバー部材９を有する。
まず、左右の車輪４，４について、図１を参照して説明する。
【００２３】
図１に示すように、大型の左右の車輪４，４は、軽量化のために、例えばプラスチックにより薄肉の部材に形成されている。左右の車輪４，４の直径は、例えば１８０ｍｍである。左右の車輪４，４は、軽量化のために、プラスチック材料を成形することで薄肉化している。車輪４，４のタイヤは、内側部分において、複数のリブにより強度の補強が行われている。車輪４の中心には、中央の円筒形の取付け穴４Ｅが設けられている。
【００２４】
図１に戻ると、左右の軸部４Ａは、下部本体部８において左右反対方向に突出して設けられている。左右の車輪４，４の中央の円筒形の取付け穴４Ｅには、軸部４Ａがそれぞれはめ込まれる。そして、この取付け穴４Ｅには、固定用の円形部材４Ｂがはめ込まれるとともに、固定ネジ４Ｃが軸部４Ａのメネジにねじこまれる。
その後、取付け穴４Ｅには、カバー部材４Ｄが着脱可能にはめ込まれる。このカバー部材４Ｄがはめ込まれることにより、固定ネジ４Ｃと円形部材４Ｂを隠し、しかも車輪４の外側の面を面一にすることができる。従って、カバー部材４Ｄがはめ込まれることで、車輪４とカバー部材４Ｄが外観デザイン的に一体感が生まれるので、車輪４の見栄えを良くすることができる。
【００２５】
図１に示すように、このカバー部材４Ｄは、２カ所に切り欠き部分４Ｌを有している。これにより、車輪４を点検したり、交換したい場合には、患者を含む使用者あるいは患者を含む使用者のサポートをする人は、この切欠き部分４Ｌに通常用いられる汎用の工具を差し込むことで、車輪４からこのカバー部材４Ｄを簡単に取り外すことができる。
このようにして、左右の車輪４，４は、カバー部材４Ｄと固定ネジ４Ｃを、通常使用されている工具を用いて、軸部４Ａに対して着脱可能に取り付けたり、交換することができる。このため、仮に車輪４が破損した場合には、患者を含む使用者あるいは患者を含む使用者のサポートをする人は、車輪４を簡単にしかも短時間で新たな車輪４と交換できる。
【００２６】
＜ハンドルカバー部材９＞
図１と図３に示すハンドルカバー部材９は、伸縮ハンドル３と、伸縮ハンドル支持機構部等を覆うための覆い部材である。ハンドルカバー部材９は、前面カバー部６の正面部分１０を覆うようにして、前面カバー部６に対して着脱可能に装着されている。
前面カバー部６と背面カバー部７は、下部本体部８に対して着脱可能に取り付けられている。前面カバー部６と背面カバー部７は、互いに着脱可能である。
これにより、装置本体２内の各種構成要素のメンテナンス等を行う際には、前面カバー部６と背面カバー部７とハンドルカバー部材９は、容易に分解して取り外すことができる。
【００２７】
前面カバー部６と背面カバー部７と下部本体部８とハンドルカバー部材９は、同系統色であっても良いし、別系統色であっても良い。背面カバー部７とハンドルカバー部材９は、例えばホワイトなどの明るい色を採用し、前面カバー部６と下部本体部８は、例えば暗めの色を採用することで、外観的に見栄えが良くなる。
【００２８】
＜前面カバー部６＞
図１と図３と図４を参照して、前面カバー部６について説明する。
図４は、操作部１４の例を示している。
図１に示すように、前面カバー部６は、正面部分１０と、上面部分１１と、左右の側面部分１２，１３を有している。正面部分１０は、図１と図３では、ハンドルカバー部材９によりほぼ覆われている。上面部分１１は、患者を含む使用者側に見やすいようにハンドルカバー部材９側へ傾斜して形成されている。
【００２９】
図１に示すように、この正面部分１０の上部は、ハンドルカバー部材９には覆われていない。このハンドルカバー部材９により覆われていない正面部分１０の領域は、後で説明する伸縮ハンドル３の取手部４０が収納できる取手部収納部４９になっている。取手部４０が収納された状態では、取手部４０の表面は、上面部分１１の表面からハンドルカバー部材９の表面にかけて、外観上の見栄えが良くなるように、ほぼ連続して傾斜している。
図１から図３に示すように、前面カバー部６の左右の側面部分１２，１３は、上部から中間部へはほぼ垂直に形成されているが、前面カバー部６の中間部から下部にかけては下に向かって広がっている。前面カバー部６の左右の側面部分１２，１３の下部には、車輪カバー部分１２Ａ，１３Ａが膨らむようにしてそれぞれ形成されている。
【００３０】
＜操作部１４＞
図１に示す上面部分１１には、図４に示す操作部１４が配置されている。
図４に示すこの操作部１４は、例えば電源スイッチ１５と、流量インジケータ１６と、流量設定ボタン１７と、メンテナンスボタン１８と、酸素ランプ１９と、表示部２０と、バッテリ残量モニタ２１と、充電中ランプ２１を有している。
電源スイッチ１５は、患者を含む使用者等が押すことで電源のオンオフを行うことで、装置本体２の運転と停止ができる。流量インジケータ１６は、患者を含む使用者に供給されている酸素流量の設定値をデジタルで示す。流量設定ボタン１７は、押すことで酸素流量の増減を設定できる。
メンテナンスボタン１８は、メンテナンス時に押す。酸素ランプ１９は、正常に患者を含む使用者側に酸素を送っている状態であれば、例えば緑色で点灯することで通知する。バッテリ残量モニタ２１は、バッテリの残量を例えば５段階で表示する。充電中ランプ２２は、バッテリが充電中に点灯する。
【００３１】
図４に示す表示部２０は、酸素供給用のチューブが折れたことの警報発生時に点灯するチューブ折れアイコン２０Ａと、コンセントが外れたことの警報発生時に点灯するコンセントアイコン２０Ｂと、酸素濃縮装置における警報発生時に連絡をすべきときに点灯する要連絡アイコン２０Ｃと、火気の検知の警報発生時に点灯する火気検知アイコン２０Ｄと、酸素濃度の低下の警報発生時に点灯する濃度低下アイコン２０Ｅを有する。
図１と図３に示すように、手指挿入用の凹部３０は、正面部分１０の上部であって、上面部分１１の下部の位置に、設けられている。この手指挿入用の凹部３０は、ハンドルカバー部材９により覆われてはいない正面部分１０の上部の領域である。手指挿入用の凹部３０には、患者を含む使用者等の手指を入れることで、装置本体２を直接持ち上げて搬送することができる。
【００３２】
＜背面カバー部７＞
次に、図１と図２と図５を参照して、背面カバー部７について説明する。
図５は、背面カバー部７の上部を示す斜視図である。
背面カバー部７は、前面カバー部６に対して着脱可能に結合できる。図２に示すように、背面カバー部７は、装着部３１と、空気取入口３２と、バッテリ収納凹部３９と、排気口３４を有している。
図１と図２に示すように、背面カバー部７の左右の側面部分７Ｌ，７Ｒは、上部から中間部へはほぼ垂直に形成されているが、背面カバー部７の中間部から下部にかけては下に向かって広がっている。背面カバー部７の左右の側面部分７Ｌ，７Ｒの下部には、車輪カバー部分７Ｓ、７Ｔが膨らむようにしてそれぞれ形成されている。しかも、すでに説明したように、前面カバー部６の左右の側面部分１２，１３の下部には、車輪カバー部分１２Ａ，１３Ａが膨らむようにしてそれぞれ形成されている。これにより、装置本体２は、この下部において、大型の車輪４，４を取り付けることができる領域を確保することができる。
【００３３】
図２と図５に示すように、装着部３１は、背面カバー部７の上部に設けられている。図５に示すように、装着部３１には、電源端子３１Ａと、酸素出口３１Ｂを備える。電源端子３１Ａは、ＡＣアダプタ３５の電源コネクタ３６を着脱可能に接続することで、装置本体２に対して、商用交流電源からの電源供給が可能である。
図５に示す酸素出口３１Ｂは、装置本体２内で生成された酸素を吐出すための吐出し口である。酸素出口３１Ｂは、カプラソケット３７を介してカニューラ３８を接続可能である。患者を含む使用者は、このカニューラ３８を装着することで、酸素の供給を受けることができる。
【００３４】
図２に戻ると、空気取入口３２は、内部に配置されているコンプレッサの動作により装置本体２の周囲の空気を装置本体２の内部に取り込む。この空気取入口３２は、背面カバー部７のほぼ中間位置に設けられている。バッテリ３３は、背面カバー部７に設けられているバッテリ収納凹部３９にはめ込むことで、着脱可能に装着されている。このバッテリ収納凹部３９は、背面カバー部７の底部に配置されている。
このように、比較的重量の大きいバッテリ３３が、背面カバー部７の底部に配置できるので、装置本体２の重心位置が下がって、装置本体２を据え置きした場合の安定性と、装置本体２を移動する際の移動安定性が増す。
なお、装置本体２の電源供給は、図５に示すＡＣアダプタ３５を用いた商用交流電源から行うか、バッテリ３３からの直流電圧を用いて行うことができる。排気口３４は、装置本体２内において分離された窒素ガスを外部に排出する。
【００３５】
＜伸縮ハンドル３と伸縮ハンドル支持機構部５０＞
図６に示すように、伸縮ハンドル３は、破線で示す伸縮ハンドル支持機構部５０により、ハンドルカバー部材９の内部において伸縮（移動）可能で、しかも位置を維持できるように支持されている。すなわち、伸縮ハンドル３は、伸縮ハンドル支持機構部５０により支持されていることで、収納された状態から、複数段階で引き出して伸縮ハンドル３の引出し長さを維持することができる。
図６において破線で示すように、伸縮ハンドル支持機構部５０は、ハンドルカバー部材９内に収容されている。しかも、この伸縮ハンドル支持機構部５０は、正面部分１０に対して着脱可能に固定されている。
【００３６】
図１に示す状態では、伸縮ハンドル３は、取手部４０を除いて、ハンドルカバー部材９側に収められた収納状態を示している。これに対して、図６に示すように、伸縮ハンドル３のパイプ部材４１，４１は、伸縮ハンドル支持機構部５０による支持により、ハンドルカバー部材９内に収められた収納位置ＬＢから、複数段階、例えば３段階の引出し位置Ｌ１、Ｌ２、Ｌ３まで適宜引き出すことができる。この伸縮ハンドル３のパイプ部材４１，４１は、その引出した長さを保つことができる。
【００３７】
また、図１と図６に示すように、ハンドルカバー部材９には、伸縮ハンドルの固定状態解除ボタン６６が外側に露出されている。これにより、患者を含む使用者等は、この伸縮ハンドルの固定状態解除ボタン６６を、ハンドルカバー部材９の上から押すことで、パイプ部材４，４の固定状態を解除でき、パイプ部材４，４をＺ１方向あるいはＺ２方向にスライドして、図６に示す収納位置ＬＢと、伸縮ハンドル３の引出し長さを３段階の引出し位置Ｌ１、Ｌ２、Ｌ３において、患者を含む使用者の体格に合わせて選択することができる。
これにより、患者を含む使用者は、伸縮ハンドル３の引出し長さを３段階の引出し位置Ｌ１、Ｌ２、Ｌ３で、患者を含む使用者の体格に合わせて選択することができる。このため、患者を含む使用者等は、伸縮ハンドル３の取手部４０を持って、装置本体２を容易にしかも快適に移動させることができる。
【００３８】
＜伸縮ハンドル３＞
＜伸縮ハンドル３の取手部４０＞
図６に示すように、伸縮ハンドル３は、取手部４０と、２本のパイプ部材４１，４１を有する。取手部４０は、例えばプラスチック製であり、２本のパイプ部材４１，４１は、軽くて丈夫な金属製、例えばアルミニウム製である。ただし、取手部４０と２本のパイプ部材４１，４１の材質は、特に限定されない。パイプ部材４１は、好ましくは断面円形状である。しかし、パイプ部材４１の断面形状は、特に限定されず、例えば断面正方形や長方形等の方形その他多角形や楕円であっても良い。
取手部４０には、ほぼ長方形状の取手部凹部４０Ｆが設けられている。この取手部凹部４０Ｆは、患者を含む使用者等が手指を差し込んで取手部４０を持つために形成されている。
【００３９】
＜伸縮ハンドル３のパイプ部材４１，４１＞
図１に示すように、パイプ部材４１，４１の下端部には、それぞれプラスチック製のキャップ４１Ｃが取り付けられている。このキャップ４１Ｃは、室内の設置面あるいは地面等の設置面ＦＷに当てる。これにより、パイプ部材４１，４１の下端部のキャップ４１Ｃ、４１Ｃは、装置本体２を図１に示すように置いた状態では、大型の２つの車輪４，４とともに、装置本体２の安定性を確保する役割を有する。
しかも、好ましくは図２と図３に示すように、下部本体部８は、２つの支持突起部８Ｇを備えている。これらの支持突起部８Ｇは、設置面ＦＷに当たることで、パイプ部材４１，４１の下端部のキャップ４１Ｃ、４１Ｃと、大型の２つの車輪４，４とともに、装置本体２の安定性を確保する役割を有する。
ここで、図２、図３から明らかなように、支持突起部８Ｇ，８Ｇは、装置本体２に関して、車輪４，４を挟んで反対側の位置で、装置本体２の下端付近で並列に同じ長さで突出している。
このため、車輪４，４と支持突起部８Ｇ，８Ｇの各下端が接地面に当接すれば、酸素濃縮装置１を鉛直方向に起立支持できる。
これに加えて、パイプ部材４１，４１の下端部のキャップ４１Ｃ、４１Ｃは図３に示されているように、設置面に当接できる程度に長く設定しておくことで、酸素濃縮装置１が起立状態からハンドル側に傾こうとするときに、これが転倒することを防止することができる。
ところで、例えば、パイプ部材４１，４１の下端部のキャップ４１Ｃ、４１Ｃは図３に示されているように、設置面に当接できる程度に長くなくても良い。むしろ、パイプ部材４１，４１の下端部のキャップ４１Ｃ、４１Ｃは図３に示されているよりもやや短くする（例えば５ミリ以内程度短くする）ことで、酸素濃縮装置１が鉛直方向に起立支持されているときには、パイプ部材４１，４１の下端が設置面に当接しない程度に長さを短く調整されていてもよい。その寸法について適宜決定でき、当接位置よりほぼ１センチ以内であり、より好ましくはほぼ５ミリ以内とすることが好ましい。それ以上短くすると、転倒防止効果を損なう恐れがある。
しかしながら、パイプ部材４１，４１の下端部のキャップ４１Ｃ、４１Ｃは図３に示されているように、設置面に当接できる程度に長くなくても、十分引き下げられていれば、仮に、酸素濃縮装置１が起立状態から、パイプ部材４１，４１側に倒れようとして傾いても、所定位置でパイプ部材４１，４１の下端部のキャップ４１Ｃ、４１Ｃが、設置面に当接することで、それ以上倒れることを防止することができる。
【００４０】
図１と図３に示すように、正面部分１０の上部には、手指挿入用の凹部３０が設けられている。この手指挿入用の凹部３０は、取手部収納部４９に収めた取手部４０の取手部凹部４０Ｆに対応する位置にある。
これにより、患者を含む使用者あるいは患者を含む使用者のサポートをする人は、手指をこの取手部４０の取手部凹部４０Ｆを通じて、手指挿入用の凹部３０内に差し込むことができる。このため、患者を含む使用者あるいは患者を含む使用者のサポートをする人は、手指により、伸縮ハンドル３を用いずに、伸縮ハンドル３の取手部４０を取手部収納部４９に収めた状態で、装置本体２を直接持って移動することが可能である。
【００４１】
＜スタンド２００＞
次に、スタンド２００について、図７と図８を参照して説明する。
図７は、酸素濃縮装置１の装置本体２が、スタンド２００の上に載せて固定されている状態を示す斜め前側から見た斜視図である。図８は、酸素濃縮装置１の装置本体２が、スタンド２００の上に載せて固定されている状態を示す斜め後側から見た斜視図である。
図７と図８に示すように、スタンド２００は、設置面ＦＷに置かれ、装置本体２を着脱可能に固定する装置である。スタンド２００は、軽量化のために、例えばプラスチックにより作られている。しかし、スタンド２００は、軽量な金属により作ることもできる。
【００４２】
図７と図８に示すスタンド２００は、概略的には、台座２０１と、装置本体２に商用電源を供給するＡＣアダプタ（電源アダプタ）３５を収納するための電源アダプタ収納部２０２と、スタンドアーム２０３を有している。
台座２０１は、装置本体２を載せて装置本体２の位置を着脱可能に固定する。電源アダプタ収納部２０２は、台座２０１の後部に設けられている。図８に示すように、スタンドアーム２０３は、ＡＣアダプタ３５の電源コネクタ３６のコード３５Ｃを、装置本体２に沿って保持させる機能を有する。電源コネクタ３６は、台座２０１に載せた装置本体２の電源端子３１Ａに対して接続する。
【００４３】
ここで、図９を参照して、装置本体２の電気的な構成例を簡単に説明する。図９は、装置本体２の電気的な構成例を示すブロック図である。
図９には、装置本体２と、カニューラ３８と、電源アダプタ３５と、台座２０１と、電源アダプタ収納部２０２と、バッテリ３３等を示している。
酸素出口３１Ｂは、カプラソケット３７を介してカニューラ３８を接続可能である。患者を含む使用者は、このカニューラ３８を装着することで、酸素の供給を受けることができる。
【００４４】
装置本体２の筐体５内には、メイン基板に搭載された制御部３００と、操作部１４と、パワー基板に搭載された電源回路３０１と、モータドライバ基板３０２と、コンプレッサ１１０と、ファン１１１が配置されている。制御部３００には、酸素センサ３１０と、電磁弁３１１，３１２と、流量センサ３１３と、比例弁３１４と、サーミスタ３１５と、スピーカ／ブザー３１６と、操作部１４が、電気的に接続されている。
電源回路３０１は、制御部３００に電気的に接続され、モータドライバ基板３０２は、電源回路３０１に電気的に接続されている。ファン１１１は、ファン駆動回路３０３に電気的に接続されている。コンプレッサ１１０は、モータ駆動回路３０４に電気的に接続されている。サーミスタ３１７は、モータドライバ基板３０２に電気的に接続されている。
【００４５】
コンプレッサ１１０は、装置本体２内に空気を取り込んで加圧して、加圧空気を吸着筒内の合成ゼオライトに送り込む。ファン１１１は、コンプレッサ１１０等を冷却する。サーミスタ３１７は、コンプレッサ１１０の温度情報をモータドライバ基板３０２に通知して、温度情報に基づいてモータ駆動回路３０４はコンプレッサ１１０の動作の制御を行う。電源回路３０１への電源供給は、ＡＣアダプタ３５を用いた商用交流電源から行うか、バッテリ３３からの直流電圧を用いて行う。
【００４６】
酸素センサ３１０は、酸素濃度を検出して制御部３００に通知する。電磁弁３１１，３１２は、制御部３００の指令により、２つの吸気筒への加圧空気の供給を切り替える。流量センサ３１３は、患者への酸素の供給量を検出して制御部３００に通知する。比例弁３１４は、制御部３００の指令により、患者への酸素の供給量を調整する。サーミスタ３１５は、火炎を検出すると制御部３００に通知して、制御部３００は比例弁３１４に指令をして酸素の供給を遮断する。スピーカ／ブザー３１６は、警報や情報等を音声や音で通知する。
【００４７】
次に、スタンド２００の好ましい構造例を、図１０から図１３を参照して、詳しく説明する。
図１０は、スタンド２００を示す斜め上から見た斜視図である。図１１は、スタンド２００を示す斜め下から見たスタンド２００の内側を示す斜視図である。図１２は、スタンド２００の平面図であり、図１３は、スタンド２００の側面図である。
図１０から図１３に示すように、スタンド２００は、好ましくは軽量化を図るために、プラスチックにより作られている。スタンド２００は、台座２０１と、装置本体２に商用電源を供給するＡＣアダプタ（電源アダプタ）３５を収納するための電源アダプタ収納部２０２を有している。図１０ないし図１３では、スタンドアーム２０３の図示を省略しており、スタンドアーム２０２は後で説明する。
【００４８】
図１３に示すように、スタンド２００の台座２０１は、設置面ＦＷに置かれる。スタンド２００の台座２０１は、図７と図８に示すように、装置本体２を載せて、案内部２１０を用いて、装置本体２の位置がずれないように着脱可能に固定する。電源アダプタ収納部２０２は、台座２０１の後部に設けられている。図１１に示すように、固定部２５０は、台座２０１の裏面側（内面側）において、台座２０１の内面側に収まるようにして設けられている。固定部２５０は、後で説明する。
【００４９】
＜台座２０１の案内部２１０と保持部２１１＞
図１０と図１２に示すように、台座２０１は、案内部２１０と、保持部２１１を有している。図１４は、装置本体２の左右の車輪４，４が案内部２１０により移動方向を規制されて案内される様子を示す平面図である。案内部２１０は、図１４に例示するように、装置本体２を図１３に示す設置面ＦＷに沿って後ろ側方向ＢＫに移動する際に、装置本体２の矢印Ｖで示す移動方向を規制しながら装置本体２の移動方向を案内することができる。
【００５０】
図１３と図１０に示すように、保持部２１１は、案内部２１０に連続して形成されている。図１３に示すように、ただし、保持部２１１の保持面２２０は、案内部２１０の案内面２１０Ａよりも、高さＨＧだけ設置面ＦＷから高い位置に形成されている。これにより、保持部２１１の保持面２２０は、案内部２１０により案内されてきた装置本体２の底部を載せて装置本体２の車輪４を好ましくは設置面ＦＷから浮かして保持することができる。
【００５１】
図１０、図１２と図１３を参照して、保持部２１１の形状例を説明する。
図１０と図１２を参照すると、保持部２１１は、平坦な保持面２２０と、２つの位置決め用の凹部２２１，２２１を有している。平坦な保持面２２０は、図７に示すように、装置本体２の下部本体部８を直接載せて保持するための部分である。
図１０に示すように、位置決め用の凹部２２１，２２１は、同じ形を有しており、傾斜案内面２２３，２２３をそれぞれ有している。傾斜案内面２２３は、図１３に示す下部本体部８の支持突起部８Ｇをスムーズに位置決め用の凹部２２１内に導くための傾斜面である。これにより、下部本体部８の支持突起部８Ｇは、傾斜案内面２２３に沿って位置決め用の凹部２２１内にスムーズに入れ込むことができる。
【００５２】
次に、図１０、図１２と図１３を参照して、案内部２１０の形状例を説明する。
案内部２１０は、保持部２１１に連続して形成されており、案内部２１０の幅は、保持部２１１からペダル２５２側に向かって徐々に小さくなっている。案内部２１０は平坦な案内面２１０Ａと、傾斜面２１０Ｂを有する。傾斜面２１０Ｂは、案内面２１０Ａと保持部２１１の保持面２２０との間の高さＨＧの差を吸収するために設けられている。
【００５３】
図１２に示すように、案内面２１０Ａには、２つの位置決め用の凹部２１１Ｃ，２１１Ｃが間隔をおいて設けられている。装置本体２が保持部２１１上に固定された状態で、図７に示すように、装置本体２に設けられた伸縮ハンドル４の下端部のキャップ４Ｃ，４Ｃが、位置決め用の凹部２１１Ｃ，２１１Ｃ内に着脱可能にはめ込んで位置決めされる。
これにより、図７に示すように装置本体２が保持部２１１に載せて固定した状態で、装置本体２は、伸縮ハンドル４の２つキャップ４Ｃ，４Ｃにより、進行方向ＦＦに倒れないように安定して保持することができる。
【００５４】
図１４に示すように、案内部２１０の左右の側部分は、装置本体２の左右の車輪４，４の移動を規制して案内する規制案内部分２５５，２５５である。規制案内部２５５，２５５は、患者等が装置本体２を設置面ＦＷに沿って矢印Ｖで示す移動方向に移動して、装置本体２を、案内部２１０の案内面２１０Ａから保持部２１１の保持面２２０に載せる際に、左右の車輪４，４に突き当たることで車輪４，４の移動方向を規制する。
これにより、装置本体２の下部本体部８は、案内部２１０の案内面２１０Ａから保持部２１１の保持面２２０上に向けて正確にガイドしながら、保持面２２０上に位置決めして載せることができる。
なお、図１０に示す案内部２１０には、ガイド用の段部２５６，２５６が、規制案内部２５５，２５５の付近にそれぞれ設けられている。これらのガイド用の段部２５６，２５６は、装置本体２の底部に設けられているネジ等の突起が当たるのを避けるために設けられている。
【００５５】
＜台座２０１の固定部２５０＞
つぎに、図１１に示す台座２０１の固定部２５０について、図１５を参照しながら説明する。図１５（Ａ）は、ペダル２５２が踏まれていない時の係合部操作部２５３の状態と、係合部材２５１，２５１の突き出た状態を示す底面図である。図１５（Ｂ）は、ペダル２５２が踏まれた時の係合部操作部２５３の状態と、係合部材２５１，２５１の引っ込んだ状態を示す底面図である。
【００５６】
図１１に示す固定部２５０は、軽量化のために例えばプラスチックにより作られている。しかし、固定部２５０は、軽量な金属で作ることもできる。
図１１と図１５に示すように、固定部２５０は、係合部材２５１，２５１と、踏み部材としてのペダル２５２と、係合部操作部２５３を有する。係合部操作部２５３は、台座２０１の裏面側の空間ＳＳＰに収容されている。係合部材２５１，２５１は、保持部２１１内に位置され、ペダル２５２は、案内部２１０の先端部に配置されている。
【００５７】
図１２に示す係合部材２５１，２５１は、保持部２１１の上面において、電源アダプタ収納部２０２寄りの位置に間隔を離して位置されている。各係合部材２５１は、各位置決め用の凹部２２１内において、図１５（Ａ）に示すようにペダル２５２を踏まない通常状態では、ペダル２５２側に向けて突出している。
ペダル２５２は、案内部２１０の先端部分に回転軸ＣＬを中心にして回転可能に配置されている。すなわち、ペダル２５２は、台座２０１の保持部２１１から離れている部分である台座２０１の先端部（前端部）に配置されている。
【００５８】
図１５を参照して、係合部操作部２５３の形状例を説明する。
係合部操作部２５３は、本体部２８０と、２つのスプリング２８１と、ガイド部材２８２，２８３を有する。本体部２８０は、ほぼ長方形の部材であり、長方形の開口部２８４，２８５を有する。本体部２８０は、２つのＬ字型の腕部２８６，２８６を有し、各腕部２８６の先端部は、上述した係合部材２５１である。
ガイド部材２８２，２８３が、台座２０１の内面に設けられており、本体部２８０の開口部２８４内に位置している。２つのスプリング２８１は、本体部２８０の開口部２８５内において、台座２０１側の固定壁２８７と本体部２８０の間に取り付けられている。
【００５９】
図１５に示す係合部材２５１は、保持部２１１上に図７に示す装置本体２の下部本体部８を載せると、装置本体２の下部本体部８に設けられている図１３に示す支持突起部８Ｇの位置決め用の穴部８Ｈに対して着脱可能に掛けて、台座２０１の保持部２１１上での装置本体２の位置がずれないように着脱可能に固定する。
図１３に示すように、このペダル２５２は、患者を含む使用者が、ＰＳ方向に踏むための部材である。このペダル２５２が踏まれると、図１５（Ａ）から図１５（Ｂ）に示す係合部操作部２５３のＸ１方向への移動により、装置本体２の支持突起部８Ｇの位置決め用の穴部８Ｈから、係合部材２５１，２５１を離脱させることができるようになっている。
【００６０】
これにより、係合操作部２５３は、装置本体２の支持突起部８Ｇの穴部８Ｈに入り込むことで装置本体２を固定した状態で、患者を含む使用者がペダル２５２を踏むと、本体部２８０は、図１５（Ａ）から図１５（Ｂ）に示すように、ガイド部材２８２にガイドされながらスプリング２８１の力に抗してＸ１方向に移動する。これにより、図１５（Ａ）から図１５（Ｂ）に示すように、係合部材２５１，２５１を、退出距離ＫＭだけ支持突起部８Ｇの穴部８Ｈから退出させることができる。
従って、ペダル２５２を踏むことで、保持部２１１上における装置本体２の固定を解除することができる。
尚、図１１に示すように、係合操作部２５３は、カバー板２９９をネジ２９９Ｎで留めることにより覆われている。これにより、係合操作部２５３を構成する要素を保護することができ、係合操作部２５３の故障を防げる。
【００６１】
＜電源アダプタ収納部２０２＞
次に、図１０、図１２と図１３を参照して、電源アダプタ収納部２０２について説明する。
電源アダプタ収納部２０２は、装置本体２に商用電源を供給するＡＣアダプタ３５を収納している。電源アダプタ収納部２０２は、装置本体位置決め部２９０を有している。装置本体位置決め部２９０は、Ｙ方向とＺ方向のそれぞれの方向に関して、３次元的に湾曲した曲面になっている。この装置本体位置決め部２９０の３次元的な曲面形状は、図８に示すように背面カバー部７の下部７Ｊの曲面形状に合わせてある。
これにより、図８に示すように、装置本体位置決め部２９０は、背面カバー部７の下部７Ｊを突き当てることで、装置本体２が台座２０１の保持部２１１上に載った状態で、装置本体２を、Ｘ１方向とＹ方向に関して位置決めをすることができる。Ｘ方向、Ｙ方向、Ｚ方向は互いに直交している。
【００６２】
＜スタンドアーム２０３＞
次に、図８、図１６と図１７を参照して、スタンドアーム２０３について説明する。
図１６は、スタンドアーム２０３が電源アダプタ収納部２０２に対して取り付けられる前の状態を示し、図１７は、スタンドアーム２０３が電源アダプタ収納部２０２に対して取り付けられた状態を示している。
【００６３】
図８に示すように、スタンドアーム２０３は、ＡＣアダプタ３５のコード３５Ｃを、装置本体２に沿って保持させている。コード３５Ｃの先端部には、電源コネクタ３６が設けられている。この電源コネクタ３６は、台座２０１に載せた装置本体２の接続端子３１Ａに対して接続する
図８に示す取付け例のように、スタンドアーム２０３は、背面カバー部７の形状に沿って曲がった形状を有しており、背面カバー部７に沿って配置できる。スタンドアーム２０３は、装着具２０３Ｍと、取付け端部２０３Ｎを有する。スタンドアーム２０３は、コード３５Ｃを内部に着脱可能に入れ込むことで保持できる。
【００６４】
装着具２０３Ｍは、図８に示すように、空気取入口３２に対してスタンドアーム２０３を着脱可能に装着できる。取付け端部２０３Ｎは、電源アダプタ収納部２０２の突起部２０２Ｇに対して差し込むことで、着脱可能に固定することができる。
これにより、スタンドアーム２０３は、背面カバー部７の形状に沿ってコード３５Ｃを保持しながら、電源コネクタ３６を接続端子３１Ａの位置まで確実に到達させることができる。しかも、スタンドアーム２０３は、装置本体２の周囲において、コード３５Ｃを収まりよく保持することができる。
【００６５】
＜酸素濃縮装置１の使用例＞
次に、上述した酸素濃縮装置１の使用例を説明する。
図１に示す酸素濃縮装置１の装置本体２の設置状態では、装置本体２は、設置面ＦＷにおいて安定して立てて置かれている。すなわち、伸縮ハンドル３は、装置本体２のハンドルカバー部材９内に収納されている。
【００６６】
図３に示すように、支持突起部８Ｇ，８Ｇは、パイプ部材４１，４１の下端部のキャップ４１Ｃ、４１Ｃと、大型の２つの車輪４，４とともに、合計６つの支持点で、装置本体２を設置面ＦＷに対して安定して置くことができる。図１に示すように、パイプ部材４１，４１の下端部のキャップ４１Ｃ、４１Ｃが設置面ＦＷに当たっていることで、装置本体２が進行方向ＦＦ側に転倒するのを防止し、支持突起部８Ｇ，８Ｇが設置面ＦＷに当たっていることで、装置本体２が後ろ方向ＢＫ側に転倒するのを防止している。
上述したように、装置本体２は、大型の車輪４，４を有しているにもかかわらず、装置本体２は、図１に示すように設置面ＦＷに設置して待機させている状態であっても、装置本体２は前後に倒れないように安定して置くことができる。
【００６７】
そして、患者を含む使用者等が、図１に示すように、進行方向ＦＦに沿って移動しようとする場合には、図６に示すように、患者を含む使用者等が伸縮ハンドル３をハンドルカバー部材９内から、体格に合わせて引き出す。これにより、図１に示すパイプ本体４１，４１のキャップ４１Ｃ，４１Ｃは、設置面ＦＷから離れてハンドルカバー部材９内に収納される。このことから、パイプ本体４１，４１のキャップ４１Ｃ，４１Ｃが、装置本体２の移動に支障をきたすことがない。
【００６８】
図５に示すように、酸素出口３１Ｂには、カプラソケット３７を介してカニューラ３８を接続する。そして、患者を含む使用者は図４に示す電源ボタン１５を押すことで、予め設定されている酸素流量により、患者を含む使用者は、図５に示すカニューラ３８を装着して酸素の供給を受けることができる。
【００６９】
ここで、患者を含む使用者が、酸素濃縮装置１の装置本体２をスタンド２００に取り付けて固定する操作と、逆に、装置本体２をスタンド２００から取り外す操作を、順に説明する。
図１８から図２４は、患者を含む使用者が、酸素濃縮装置１の装置本体２をスタンド２００に取り付けて固定する操作を示している。図２３から図２５は、患者を含む使用者が、装置本体２をスタンド２００から取り外す操作を示している。
【００７０】
まず、患者を含む使用者が、酸素濃縮装置１の装置本体２をスタンド２００に取り付けて固定する操作を、図１８から図２３を参照して説明する。
図１８は、患者を含む使用者が、装置本体２の伸縮ハンドル３を伸ばした状態を示している斜視図である。図１９は、装置本体２を後ろ方向ＢＫ側に押して、装置本体２をスタンド２００の案内部２１０により案内している状態を示す斜視図である。
図２０は、装置本体２を後ろ方向ＢＫ側に押して、装置本体２をスタンド２００の案内部２１０から保持部２１１側に載せようとしている状態を示す斜視図である。図２１は、装置本体２をスタンド２００の保持部２１１の上に載せて固定した状態を示す斜視図である。図２２は、装置本体２をスタンド２００の案内部２１０から保持部２１１の上に載せて固定する様子を示す図である。
【００７１】
図１８に示すように、患者を含む使用者が、装置本体２の伸縮ハンドル３を伸ばして移動した後、図１９に示すように、患者を含む使用者は、伸縮ハンドル３を持って装置本体２を後ろ方向ＢＫに押して、装置本体２の車輪４をスタンド２００の案内部２１０に近づける。
そして、図２０に示すように、患者を含む使用者は、伸縮ハンドル３を持って装置本体２をＲＲ方向に押し上げるようにして、装置本体２の下部本体部８を案内部２１０から保持部２１１の上に載せると、図２１に示すように、装置本体２をスタンド２００の保持部２１１の上に載せた状態で固定することができる。
【００７２】
ここで、患者を含む使用者が、装置本体２をスタンド２００に取り付けて固定する操作を、図２２と図１４を参照して、さらに詳しく説明する。
図２２（Ａ）に示すように、患者を含む使用者が、装置本体２の背面カバー部７の下部７Ｊを、スタンド２００の装置本体位置決め部２９０に対面するようにして、装置本体２を後ろ方向ＢＫへ押す。図１４に示すように、患者を含む使用者が、装置本体２を設置面ＦＷに沿って矢印Ｖで示す移動方向に移動して、装置本体２を保持部２１１の保持面２２０に載せる際に、規制案内部２５５，２５５は、左右の車輪４，４の移動方向を規制する。
【００７３】
これにより、装置本体２は、図２２（Ｂ）に示すように、２つの支持突起部８Ｇは、案内部２１０の平坦な案内面２１０Ａと傾斜面２１０Ｂを経て、保持部２１１の保持面２２０の上に持ち上がる。
図２２（Ｂ）から図２２（Ｃ）に示すように、装置本体２の背面カバー部７の下部７Ｊが、装置本体位置決め部２９０に突き当たる。これにより、装置本体２の下部本体部８は、保持部２１１の保持面２２０上に向けて正確にガイドされながら、保持面２２０上に位置決めして載せることができる。
【００７４】
この時に、支持突起部８Ｇ，８Ｇは、図１０に示す位置決め用の凹部２２１，２２１にはまり込み、図２２（Ｃ）に示すように、係合部材２５１は、支持突起部８Ｇの位置決め用の穴部８Ｈにはまり込む。このように、装置本体２の下部本体部８が保持面２２０上に位置決めされると、装置本体２の車輪４を好ましくは隙間ＨＵだけ設置面ＦＷから浮かせるようにして、装置本体２の下部本体部８が保持面２２０に保持できる。
従って、装置本体２の下部本体部８は、スタンド２００の保持面２２０に密着するようにして載せることができ、しかもスタンド２００の係合部材２５１，２５１を用いて外れないようにして固定することができる。
【００７５】
次に、図２３から図２５を参照して、患者を含む使用者が、装置本体２をスタンド２００から取り外す操作を説明する。
図２３は、患者を含む使用者が、スタンド２００から装置本体２を取り外す際に、伸縮ハンドル３を伸ばした状態を示す斜視図である。図２４は、患者を含む使用者が、足でペダル２５２を踏んで、スタンド２００から装置本体２を取り外そうとしている状態を示す斜視図である。図２５は、スタンド２００から装置本体２を取り外して、進行方向ＦＦに装置本体２を移動し始める状態を示す斜視図である。
図２３に示すように、患者を含む使用者は、伸縮ハンドル３を伸ばして、図２４に示すように、足でスタンド２００の前端側のペダル２５２を踏むとともに、操作ハンドル３をＲＲ方向に沿って手前に傾ける。
【００７６】
図１５（Ａ）から図１５（Ｂ）に示すように、係合部材２５１，２５１が支持突起部８Ｇの位置決め用の穴部８Ｈから退出距離ＫＭだけ退出する。このため、図２２（Ｃ）に示す係合部材２５１は、支持突起部８Ｇの位置決め用の穴部８Ｈにはまり込んでいる状態を解消することができる。
これにより、スタンド２００の保持部２１１に対する装置本体２の固定状態は解除されるので、図２５に示すように患者を含む使用者は、伸縮ハンドル３を持って進行方向ＦＦに沿って移動することが可能になる。このようにして、装置本体２は、スタンド２００から取り外して移動することができる。
【００７７】
ところで、図２６に示すように、ペダル２５２が、スタンド２００の案内部２１０の先端部に配置されている。このため、仮にスタンド２００を部屋の角部分２８８に配置したとしても、装置本体２は、スタンド２００の上に後ろ方向ＢＫに沿って載せて取り付けて固定できるとともに、装置本体２は、スタンド２００から進行方向ＦＦに沿って容易に取り外すことができる。
【００７８】
上述したように、本発明の実施形態の酸素濃縮装置１は、患者を含む使用者が酸素吸入を行う移動可能な車輪を有する酸素濃縮装置を固定するスタンド２００であって、設置面ＦＷに置かれて、酸素濃縮装置１の装置本体２を載せるための台座２０１と、台座２０１に載せた装置本体２を固定する固定部２５０と、を備える。
これにより、台座２０１は、酸素濃縮装置１の装置本体２を載せて、固定部２５０が台座２０１に載せた装置本体２を固定するので、車輪４を有する装置本体２が、設置面ＦＷに沿って簡単に移動しないように固定することができる。
【００７９】
台座２０１は、装置本体を設置面に沿って移動する際に、装置本体の移動方向を規制しながら装置本体の移動方向を案内する案内部２１０と、案内部２１０に連続して形成されており、案内部よりも設置面ＦＷから高い位置に形成されていることで、案内部により案内されてきた装置本体２の底部を載せて装置本体２の車輪４を浮かして保持する保持部２１１と、を有する。
これにより、案内部２１０は、装置本体２を設置面ＦＷに沿って移動する際に、装置本体２の移動方向を規制しながら装置本体２の移動方向を案内して、保持部２１１側に確実に導くことができる。そして、保持部２１１は、案内部２１０よりも設置面ＦＷから高い位置に形成されていることで、案内部２１０により案内されてきた装置本体２の底部を載せて装置本体２の車輪４を浮かして保持することができる。従って、装置本体２は、案内部２１０から保持部２１１に確実に移動して、保持部２１０に載せた状態で安定して保持できる。
【００８０】
固定部２５０は、保持部２１１上に装置本体２の底部を載せると、装置本体２の底部に設けられている支持突起部８Ｇに対して着脱可能に掛けて、台座２０１の保持部上での装置本体の位置を着脱可能に固定する係合部材２５１を有する。これにより、装置本体の支持突起部８Ｇを、台座２０１側の係合部材２５１を掛けることで、装置本体２は、保持部２１１上に着脱可能に確実に固定できる。
【００８１】
固定部２５０は、保持部２１１に設けられた係合部材２５１と、患者を含む使用者が踏むための踏み部材としてのペダル２５２と、踏み部材が踏まれると、装置本体２の支持突起部８Ｇから係合部材２５１を離脱させる係合部操作部２５３と、を有する。これにより、患者を含む使用者が、踏み部材を踏むことで、装置本体２の支持突起部８Ｇから係合部材２５１を離脱させることができる。このため、装置本体２は、簡単に保持部２１１から取り外すことができる。
【００８２】
踏み部材としてのペダル２５２は、台座２０１の保持部２１１から離れている案内部２１０の先端部に配置され、係合部操作部２５３は、台座２０１の裏面側の空間ＳＳＰに収容されている。これにより、係合部操作部２５３が台座２０１の裏側の空間に収容されている。このため、係合部操作部２５３は、外には露出しないので、台座２０１は係合部操作部２５３の保護ができる。
【００８３】
係合部材２５１は、保持部２１１に設けられた位置決め用の凹部２２１内に突出可能に設けられている。装置本体２の支持突起部８Ｇを位置決め用の凹部２２１にはめ込んで、係合部材２５１を支持突起部８Ｇの穴部８Ｈに入れ込むことで装置本体２を固定した状態で、係合部操作部２５３は、患者を含む使用者が踏み部材としてのペダル２５２を踏むと、係合部材２５１を装置本体２の支持突起部８Ｇの穴部８Ｈから退出させて保持部２１１上における装置本体２の固定を解除する構成である。これにより、患者を含む使用者が踏み部材を踏むだけで、係合部操作部は、保持部２１１上における装置本体２の固定を、容易に解除することができる。
【００８４】
台座２０１は、装置本体２に商用電源を供給する電源アダプタを収納する電源アダプタ収納部２０２を有する。電源アダプタ収納部２０２は、装置本体２を台座２０１の保持部２１１上に載せた状態で装置本体２に当接することで、装置本体２の保持部２１１上における位置決めを行う装置本体位置決め部２９０を有する。これにより、装置本体２は、装置本体位置決め部２９０に対して当接すれば、装置本体２は保持部２１１上に確実に位置決めして固定できる。
【００８５】
台座２０１は、台座２０１に載せた装置本体の接続端子に対して接続する電源アダプタのコード３５Ｃを、装置本体２に沿って保持させるスタンドアーム２０３を有する。スタンドアーム２０３の下端部は、台座２０１に対して着脱可能に取り付けられる。これにより、スタンドアーム２０３は、必要に応じて台座に着脱可能に取り付ければよく、電源アダプタのコード３５Ｃは、スタンドアーム２０３に沿って保持できるので、装置本体２付近でのコード３５Ｃの取り回しが容易に行える。
【００８６】
案内部２１０には、装置本体２が保持部２１１上に固定された状態で、装置本体２に設けられたハンドル３の下端部であるキャップ４１Ｃを着脱可能にはめ込んで位置決めする位置決め用の凹部２１１Ｃを有する。これにより、ハンドル３の下端部が位置決め用の凹部２１１Ｃにはめ込んで位置決めできるので、装置本体２は、ハンドル３を用いて案内部２１０に対して確実に保持できる。
【００８７】
酸素濃縮装置１は、上述した構成のスタンド２００を備える。酸素濃縮装置１は、この患者を含む使用者が酸素吸入を行うための移動可能な酸素濃縮装置１は、筐体５を有する装置本体２と、装置本体２に取り付けられた車輪４と、を備える。これにより、台座２０１は、酸素濃縮装置１の装置本体２を載せて、固定部が台座２０１に載せた装置本体２を固定するので、車輪４を有する装置本体２が、設置面ＦＷに沿って簡単に移動しないように固定することができる。
【００８８】
ところで、本発明は上記実施形態に限定されず、種々の変形例を採用することができる。上述の本発明の実施形態では、上記本発明の実施形態に記載された事項は、その一部を省略してもよいし、上記で説明しない他の構成と組み合わせることによっても本発明の範囲を逸脱するものではない。
上述した本発明の実施形態では、スタンドの形状は、図示例に限定されず、電源アダプタ収納部２０２が装備されていない構造を採用しても良い。
【符号の説明】
【００８９】
１・・・酸素濃縮装置、２・・・装置本体、３・・・伸縮ハンドル（ハンドルの例）、４・・・車輪、５・・・筐体、８Ｇ・・・装置本体の支持突起部、８Ｈ・・・支持突起部の穴部、９・・・ハンドルカバー部材（カバー部材の例）、４１Ｃ・・・伸縮ハンドルのキャップ（ハンドルの下端部）、２０１・・・台座、２０２・・・電源アダプタ収納部、２１０・・・案内部、２１１・・・保持部、２５１・・・係合部材、２５２・・・ペダル（踏み部材）、ＦＦ・・・進行方向
【図１】
0006546744.tif 000002
【図２】
0006546744.tif 000003
【図３】
0006546744.tif 000004
【図４】
0006546744.tif 000005
【図５】
0006546744.tif 000006
【図６】
0006546744.tif 000007
【図７】
0006546744.tif 000008
【図８】
0006546744.tif 000009
【図９】
0006546744.tif 000010
【図１０】
0006546744.tif 000011
【図１１】
0006546744.tif 000012
【図１２】
0006546744.tif 000013
【図１３】
0006546744.tif 000014
【図１４】
0006546744.tif 000015
【図１５】
0006546744.tif 000016
【図１６】
0006546744.tif 000017
【図１７】
0006546744.tif 000018
【図１８】
0006546744.tif 000019
【図１９】
0006546744.tif 000020
【図２０】
0006546744.tif 000021
【図２１】
0006546744.tif 000022
【図２２】
0006546744.tif 000023
【図２３】
0006546744.tif 000024
【図２４】
0006546744.tif 000025
【図２５】
0006546744.tif 000026
【図２６】
0006546744.tif 000027